(57)【要約】【課題】  記録するデータに応じて、ユーザが、又は自動的に、再生信号品位に関する信号品位パラメータを調整可能な光ディスク記録装置を提供する。【解決手段】  複写元の光ディスクに記録されたデータの再生信号品位を測定して、予め記録しておいた光ディスクへ記録するデータの再生信号品位と再生信号品位に関係する装置記録パラメータとの関係、及び測定した該データの再生信号品位に基づいて、再生信号品位に関する信号品位パラメータを設定して、複写元の光ディスクに記録されたデータと同等の再生信号品位を達成できるよう該記録データを記録用光ディスクへ記録する。これにより、複写元の光ディスクと略同等の音質で音楽データを再生することができる。【選択図】  図１
2005222696.tif 000002
【特許請求の範囲】
【請求項１】
記録用光ディスクにデータを記録した場合の再生信号品位を推定する推定手段と、
前記推定手段が推定した記録用光ディスクの推定再生信号品位を表示する表示手段と、を備えたことを特徴とする光ディスク記録装置。
【請求項２】
光ディスクへ記録されたデータの再生信号品位と、再生信号品位に関係する装置記録パラメータと、の関係を記憶する記憶手段と、
記録用光ディスクの種類を識別する識別手段と、
前記記憶情報と前記識別結果に基づき、記録用光ディスクにデータを記録した場合の再生信号品位を推定する推定手段と、
前記推定手段が推定した記録用光ディスクの推定再生信号品位を表示する表示手段と、を備えたことを特徴とする光ディスク記録装置。
【請求項３】
記録用光ディスクの種類を識別する識別手段と、
記録用光ディスクへ試し書きを行い、記録用光ディスクへ試し書きされたデータの再生信号品位から再生信号品位を測定する測定手段と、
前記識別結果と前記測定結果に基づき、記録用光ディスクにデータを記録した場合の再生信号品位を推定する推定手段と、
前記推定手段が推定した記録用光ディスクの推定再生信号品位を表示する表示手段と、を備えたことを特徴とする光ディスク記録装置。
【請求項４】
光ディスクへデータを記録する際に設定した再生信号品位を表す信号品位パラメータを記憶する記憶手段と、
該記憶手段が記憶した前記信号品位パラメータを表示する表示手段と、
該表示手段に表示された前記パラメータを選択する操作手段と、
データ記録時の装置記録パラメータの値を前記操作手段が選択した信号品位パラメータに基づいて設定する信号品位調整手段と、
記録用光ディスクへデータを設定されたパラメータの値に基づいて記録するデータ記録手段と、を備えたことを特徴とする光ディスク記録装置。
【発明の詳細な説明】
【技術分野】
【０００１】
この発明は、追記型光ディスク及び書換型光ディスクへデータを記録する際の、記録されたデータの再生信号品位の調整に関する。
【背景技術】
【０００２】
近年、データを記録可能な光ディスク、光ディスク記録装置、データ記録用ソフトウェア、コンピュータなどの低価格化に加えて、大容量のデータを記録可能であるため、オーディオ（音楽）データ、コンピュータ用データ、画像（静止画）データ、動画データなど様々なデータの記録・再生用やバックアップ用に、光ディスクが使用されている。データを記録可能な記録用光ディスクとしては、例えば、ＣＤ−Ｒ、ＤＶＤ−Ｒなどの１度だけデータを記録可能な追記型光ディスクや、ＣＤ−ＲＷ、ＤＶＤ−ＲＷ、ＤＶＤ＋ＲＷ、ＤＶＤ−ＲＡＭなどのデータを書換可能な書換型光ディスクがある。これらの光ディスクにデータを記録するための光ディスク記録装置では、従来、ライトストラテジ（Write Strategy）などの記録されたデータの再生信号品位に関係する装置記録パラメータを自動的に最適な値に設定するようになっている。ユーザは、光ディスク記録装置を使用する場合、記録速度の設定が適切でない場合に記録速度を再生可能限界まで自動的に低下させる機能を有効にするか否かなどを設定することができた。
【発明の開示】
【発明が解決しようとする課題】
【０００３】
上記のようなデータを記録可能な光ディスクに、プレスＣＤ（スタンパで製造されたＣＤ、例えばＣＤ−ＤＡ）の音楽データを複写した場合、音質が微妙に違ったものになることが知られている。光ディスクに記録される音楽データはディジタルデータであるので、再生しても元の音楽データと音質は変わらないように思えるが、実際はβやジッタなどの再生信号品位の違いにより、専門家やオーディオマニアにはわかるレベルで、音楽データの音質は異なったものとなる。
【０００４】
また、現状では、この違いが発生する原因は明確にはわかっていないが、再生信号品位に関係する装置記録パラメータを変えると、音質は変化することが分かっている。
【０００５】
しかし、従来の光ディスク記録装置は、上記のように自動的に各パラメータを最適な値に設定するため、光ディスクに記録するデータが、例えば音楽用データであってもコンピュータ用データであっても、同じ最適パラメータでデータの記録が行われていた。この最適パラメータは、データを再生した際にエラーが最も起こりにくい設定値であるが、必ずしも音楽データを記録する際に音質が最良になるパラメータであるとは言えない。よって、光ディスクに記録する音楽データを再生した際に良い音質にするためには、コンピュータ用とは別に、音楽データ用の最適パラメータを設定する必要がある。
【０００６】
しかし、従来の光ディスク記録装置で光ディスクにデータを記録する場合、ユーザが記録されたデータの再生信号品位を表すパラメータを設定することはできなかった。例えば、ＣＤ−Ｒに音楽データを記録する際に、音楽データの再生音質を良くするために、β値を好みの値に調整するといった設定はできなかった。よって、初心者でも容易に光ディスクにデータを記録することができる反面、再生信号品位を表すパラメータを好みの設定に調整できないため、上級者には不満の残る仕様になっていた。
【０００７】
また、光ディスクの素材（特に記録層）は、種類、メーカ、型番などによって異なっているため、光ディスク記録装置のライトストラテジや記録速度の設定は、光ディスクのメーカ、型番などによって異なっている。そのため、プレスＣＤの音楽データをＣＤ−Ｒに複写した場合、ＣＤ−Ｒのメーカの違いや、音楽データを記録する光ディスク記録装置の違いによって、プレスＣＤの再生音とＣＤ−Ｒの再生音とが異なった音質になることがあった。
【０００８】
さらに、データを記録可能な光ディスクは、その製造時期や型番などにより記録可能な最大記録速度、及び最も信号品位の良い記録が可能な記録速度が異なる。例えば、最大記録可能速度が低い旧タイプの光ディスクは記録膜が比較的厚いため、１倍速又は２倍速などの低速域で再生信号品位の良い記録ができる。一方、最大記録可能速度が高い新タイプの光ディスクは記録膜が比較的薄いため、４倍速又は８倍速などのより高速な領域で再生信号品位の良い記録ができる。このため、ユーザが間違えて設定した記録速度に光ディスクが対応していない場合、光ディスク記録装置には、該光ディスクに応じた最大記録速度に自動的に変更する機能を持つものがある。しかし、変更された最大記録速度は信号品位限界を基準としたものであって、ジッタなどの信号品位が良い記録速度を選択するものではなかった。このため、音楽データを記録する場合、この機能が自動的に設定する記録速度は、必ずしも良い音質で音楽データを記録できるとは言えない。よって、オーディオマニアなどの良い音質を望むユーザには不満の残る仕様であるという問題があった。
【０００９】
このような問題があるため、オーディオマニアは、音楽データの記録に適した光ディスク記録装置を購入して、この光ディスク記録装置での音楽データ記録に相性が良く、音楽データを良い音質で記録できる光ディスクを選定して購入し、選定した光ディスク毎に最適な書き込み速度を調整する、といったことを行っていた。しかし、このような作業は、費用及び労力の負担をユーザに強いるものであった。
【００１０】
また、光ディスク記録装置で記録したＣＤ−Ｒを該光ディスク記録装置で再生するとは限らず、光ディスク記録装置で記録した光ディスクをＣＤプレーヤで聴取する場合、該光ディスク記録装置での再生信号品位が良いことが、他のＣＤプレーヤでの再生音質が良いこととは必ずしも言えなかった。
【００１１】
そこで、本発明は上記の問題を解決するために成されたものであり、その目的は、記録するデータに応じて、ユーザが、又は自動的に、再生信号品位を調整可能な光ディスク記録装置を提供することにある。
【課題を解決するための手段】
【００１２】
この発明は、上記の課題を解決するための手段として、以下の構成を備えている。
【００１３】
（１）記録用光ディスクにデータを記録した場合の再生信号品位を推定する推定手段と、前記推定手段が推定した記録用光ディスクの推定再生信号品位を表示する表示手段と、を備えたことを特徴とする。
【００１４】
この構成において、推定手段で該記録用光ディスクにデータを記録した場合の再生信号品位を推定し、表示手段で該推定再生信号品位を表示する。したがって、ユーザデータを記録する前に、記録したデータの再生信号品位の推定値が分かるので、表示された信号品位によっては光ディスクを別のものに交換して、より良い再生信号品位の記録用光ディスクを選択することが可能となる。
【００１５】
（２）光ディスクへ記録されたデータの再生信号品位と、再生信号品位に関係する装置記録パラメータと、の関係を記憶する記憶手段と、記録用光ディスクの種類を識別する識別手段と、前記記憶情報と前記識別結果に基づき、記録用光ディスクにデータを記録した場合の再生信号品位を推定する推定手段と、前記推定手段が推定した記録用光ディスクの推定再生信号品位を表示する表示手段と、を備えたことを特徴とする。
【００１６】
この構成において、記憶手段で光ディスクへ記録されたデータの再生信号品位と再生信号品位に関係する装置記録パラメータとの関係を記憶し、識別手段で記録用光ディスクの種別を識別し、推定手段で前記記憶情報と前記識別結果に基づき、記録用光ディスクにデータを記録した場合の再生信号品位を推定し、表示手段で前記推定再生信号品位を表示する。したがって、記録用光ディスクに記録するデータの推定再生信号品位が分かるので、表示された信号品位によっては光ディスクを別のものに交換して、より良い再生信号品位の記録用光ディスクを選択することが可能となる。
【００１７】
（３）記録用光ディスクの種類を識別する識別手段と、記録用光ディスクへ試し書きを行い、記録用光ディスクへ試し書きされたデータの再生信号品位から再生信号品位を測定する測定手段と、前記識別結果と前記測定結果に基づき、記録用光ディスクにデータを記録した場合の再生信号品位を推定する推定手段と、前記推定手段が推定した記録用光ディスクの推定再生信号品位を表示する表示手段と、を備えたことを特徴とする。
【００１８】
この構成において、識別手段で記録用光ディスクの種別を識別し、測定手段で記録用光ディスクへ試し書きされたデータの再生信号品位から再生信号品位を測定し、推定手段で前記識別結果と前記測定結果に基づき、記録用光ディスクにデータを記録した場合の再生信号品位を推定し、表示手段で推定再生信号品位を表示する。したがって、記録用光ディスクに記録するデータの推定再生信号品位が分かるので、表示された信号品位によっては光ディスクを別のものに交換して、より良い再生信号品位の記録用光ディスクを選択することが可能となる。
【００１９】
（４）光ディスクへデータを記録する際に設定した再生信号品位を表す信号品位パラメータを記憶する記憶手段と、該記憶手段が記憶した前記信号品位パラメータを表示する表示手段と、該表示手段に表示された前記パラメータを選択する操作手段と、
データ記録時の装置記録パラメータの値を前記操作手段が選択した信号品位パラメータに基づいて設定する信号品位調整手段と、記録用光ディスクへデータを設定されたパラメータの値に基づいて記録するデータ記録手段と、を備えたことを特徴とする。
【００２０】
この構成において、記憶手段で光ディスクへデータを記録する際に設定した信号品位を表す信号品位パラメータを記憶して、表示手段に表示された該記憶手段が記憶した該パラメータを、操作手段で選択し、信号品位調整手段がデータ記録時の装置記録パラメータの値を該操作手段が選択した値に基づいて設定する。したがって、以前に光ディスクへデータを記録する際に設定した再生信号品位パラメータを読み出して、その再生信号品位を達成するよう記録用光ディスクへデータを記録することが容易となる。
【発明の効果】
【００２１】
本発明によれば、ユーザデータを記録する前に、記録したデータの再生信号品位の推定値が分かるので、表示された信号品位によっては光ディスクを別のものに交換して、より良い再生信号品位の記録用光ディスクを選択することが可能となる。また、記録用光ディスクに記録するデータの推定再生信号品位が分かるので、表示された信号品位によっては光ディスクを別のものに交換して、より良い再生信号品位の記録用光ディスクを選択することが可能となる。さらに、以前に光ディスクへデータを記録する際に設定した再生信号品位パラメータを読み出して、その再生信号品位を達成するよう記録用光ディスクへデータを記録することが容易となる。
【発明を実施するための最良の形態】
【００２２】
図１は、本発明の実施の形態に係る光ディスク記録装置の構成を示したブロック図である。図１に示したように、光ディスク記録装置１は、光ピックアップ１０、スピンドルモータ１１、RFアンプ１２、サーボ回路１３、識別手段であるアドレス検出回路１４、デコーダ１５、信号品位調整手段、識別手段、及び設定手段であるシステム制御部１６、エンコーダ１７、ストラテジ回路１８、レーザドライバ１９、レーザパワー制御回路２０、周波数発生器２１、エンベロープ検出回路２２、Ｃ１エラー検出回路２３、再生信号品位の測定手段である再生信号品位検出回路部２４、データ記憶回路２５、記憶手段である記憶部２６、操作手段及び入力手段である操作部２７、並びに表示手段である表示部２８を備えている。また、光ピックアップ１０、サーボ回路１３、エンコーダ１７、ストラテジ回路１８、レーザドライバ１９及びレーザパワー制御回路２０によって、データ記録手段であるデータ記録部が構成されている。
【００２３】
スピンドルモータ１１は、データを記録する対象である光ディスクＤを回転駆動するモータである。また、スピンドルモータの回転軸先端部には光ディスクを保持（チャッキング）するためのターンテーブルなどからなる図外の光ディスク保持機構が設けられている。光ピックアップ１０は、レーザダイオード、レンズ及びミラーなどの光学系、戻り光（反射光）受光素子、並びにフォーカスサーボ機構などを備えている。また、記録及び再生時にはレーザ光を光ディスクＤに対して照射して、光ディスクＤからの戻り光を受光して受光信号であるＥＦＭ（Eight to Fourteen Modulation）変調されたＲＦ信号をＲＦアンプ１２に出力する。なお、フォーカスサーボ機構は、光ピックアップ１０のレンズと光ディスクのデータ面との距離を一定に保つためのサーボ機構である。また、光ピックアップ１０は、モニタダイオードを備えており、光ディスクＤの戻り光によってモニタダイオードに電流が生じ、この電流がレーザパワー制御回路２０へ供給されるようになっている。
【００２４】
周波数発生器２１は、スピンドルモータ１１が出力した回転角度や回転数を検出するための信号をサーボ回路１３に出力する。
【００２５】
ＲＦアンプ１２は、光ピックアップ１０から供給されるＥＦＭ変調されたＲＦ信号を増幅して、増幅後のＲＦ信号をサーボ回路１３、アドレス検出回路１４、エンベロープ検出回路２２、再生信号品位を測定する再生信号品位検出回路部２４、及びデコーダ１５に出力する。
【００２６】
デコーダ１５は、再生時には、ＲＦアンプ１２から供給されるＥＦＭ変調されたＲＦ信号をＥＦＭ復調して再生データを生成し、データ記憶回路２５に出力する。また、デコーダ１５は、記録時には、テスト記録によって記録された領域を再生する際に、ＲＦアンプ１２から供給されたＲＦ信号をＥＦＭ復調する。そして、復調した信号に基づいて、Ｃ１エラー検出回路２３がＣ１エラーを検出して、システム制御部１６に出力する。Ｃ１エラー検出回路２３はＥＦＭ復調された信号に対してＣＩＲＣ（Cross Interleaved Reed Solomon Code）と呼ばれる誤り訂正符合を用いたエラー訂正を行い、Ｃ１エラーの個数（Ｃ１エラー値）を検出する。
【００２７】
本実施形態に係る光ディスク記録装置１では、データの記録を行う際に、本記録に先立ち、光ディスクＤの内周側のＰＣＡ（Power Calibration Area）領域にテスト記録を行う。そして、このテスト記録した領域の再生結果に基づいて、光ディスクＤに対して良好な記録を行える記録条件を求めるように構成されている。Ｃ１エラー検出回路２３は、このようなテスト記録した領域での再生信号のＣ１エラーを検出して、システム制御部１６に出力する。
【００２８】
ここで、光ディスクＤのテスト記録を行う領域について、図２を用いて説明する。図２は、光ディスクの領域構成を示した断面図である。光ディスクＤの外径は１２０ｍｍであり、光ディスクＤの直径４６〜５０ｍｍの区間がリードイン領域１１４として用意され、その外周側にデータを記録するプログラム領域１１８及び残余領域１２０が用意されている。一方、リードイン領域１１４よりも内周側には、内周側ＰＣＡ領域１１２が用意されている。内周側ＰＣＡ領域１１２には、テスト領域１１２ａと、カウント領域１１２ｂと、が用意されている。このテスト領域１１２ａには、前述のように本記録に先立ち、テスト記録が実施される。ここで、テスト領域１１２ａとしては、テスト記録を複数回行える領域が用意されている。また、カウント領域１１２ｂには、テスト記録終了時にテスト領域１１２ａのどの部分まで記録が終了しているかを示すＥＦＭ信号が記録される。したがって、次にこの光ディスクＤに対してテスト記録を行う際には、カウント領域１１２ｂのＥＦＭ信号を検出することにより、テスト領域１１２ａのどの位置からテスト記録を開始すれば良いかが、分かるようになっている。本実施形態に係る光ディスク記録装置１では、データの本記録を行う前に上記のテスト領域１１２ａにテスト記録を行っている。
【００２９】
図１に戻り、データ記憶回路２５は、デコーダ１５から出力された光ディスクＤの再生データや、光ディスク記録装置１の外部から入力されたデータなどを一旦記憶する。そして、再生時には記憶したデータを図外のデータ再生部へ出力し、記録用光ディスクにデータを記録する時には、記憶したデータをエンコーダ１７へ出力する。
【００３０】
アドレス検出回路１４は、ＲＦアンプ１２から供給されたＲＦ信号中に含まれるウォブル信号成分を抽出し、このウォブル信号成分に含まれる各位置の時間情報（アドレス情報）、及び光ディスクを識別する識別情報（ディスクＩＤ）やディスクに使われている色素などのディスクの種類を示す情報を復号し、システム制御部１６に出力する。ここで、ウォブル信号成分とは記録用光ディスクの蛇行した記録トラックの蛇行周波数を表す信号成分であり、時間情報や識別情報などは蛇行周波数をＦＭ変調することで記録されている。
【００３１】
再生信号品位検出回路部２４は、光ディスクＤのテスト記録領域を再生している時に、ＲＦアンプ１２から供給されるＲＦ信号から再生信号品位に関係するβ値やアシンメトリを算出し、算出結果をシステム制御部１６に出力する。ここで、β値は、ＥＦＭ変調された信号波形のピークレベル（符号は＋）をａ、ボトムレベル（符号は−）をｂとすると、β＝（ａ＋ｂ）／（ａ−ｂ）で求めることができる。
【００３２】
エンベロープ検出回路２２は、光ディスクＤへテスト記録を行う前に、光ディスクＤのテスト領域１１２ａのどの部分からテスト記録を開始するかを検出するために、上述した光ディスクＤのカウント領域１１２ｂでのＥＦＭ信号のエンベロープを検出する。
【００３３】
サーボ回路１３は、スピンドルモータ１１の回転制御、並びに光ピックアップ１０のフォーカス制御、トラッキング制御、及び送り制御を行う。本実施形態に係る光ディスク記録装置１では記録時には、光ディスクＤを各速度一定で駆動する方式であるＣＡＶ（Constant Angular Velocity）方式と、光ディスクＤを線速度一定にして駆動する方式であるＣＬＶ（Constant Linear Velocity）方式と、を切り替えることができるようになっている。そのため、サーボ回路１３は、システム制御部１６から供給される制御信号に応じてＣＡＶ方式とＣＬＶ方式とを切り替える。ここで、サーボ回路１３によるＣＡＶ制御では、周波数発生器２１によって検出されるスピンドルモータ１１の回転数が、設定した回転数と一致するように制御される。また、サーボ回路１３によるＣＬＶ制御では、ＲＦアンプ１２から供給されるＲＦ信号中のウォブル信号が設定された速度倍率になるようにスピンドルモータ１１が制御される。
【００３４】
エンコーダ１７は、データ記憶回路２５から供給される記録データをＥＦＭ変調し、ストラテジ回路１８に出力する。ストラテジ回路１８は、エンコーダ１７から供給されたＥＦＭ信号に対して時間軸補正処理などを行い、レーザドライバ１９に出力する。レーザドライバ１９は、ストラテジ回路１８から供給される記録データに応じて変調された信号と、レーザパワー制御回路２０の制御に従って光ピックアップ１０のレーザダイオードを駆動する。
【００３５】
レーザパワー制御回路２０は、光ピックアップ１０のレーザダイオードから照射されるレーザパワーを制御する。具体的には、レーザパワー制御回路２０は、光ピックアップ１０のモニタダイオードから供給される電流値と、システム制御部１６から供給される最適なレーザパワーの目標値を示す情報と、に基づいて、最適なレーザパワーのレーザ光が光ピックアップ１０から照射されるように、レーザドライバ１９を制御する。
【００３６】
システム制御部１６は、ＣＰＵ、ＲＯＭ、及びＲＡＭ等から構成されており、ＲＯＭに格納されたプログラムに従って光ディスク記録装置１の各部を制御する。システム制御部１６は、上述したようにデータの本記録に先立ち、光ディスク記録装置１にセットされた光ディスクＤの所定の領域に対し、テスト記録を行うように装置の各部を制御する。そして、システム制御部１６は、上述したテスト記録された領域を再生している際に得られる信号から、再生信号品位検出回路部２４によって検出されたβ値などの再生信号品位、Ｃ１エラー検出回路２３によって検出されたＣ１エラーのカウント値などに基づいて、光ディスク記録装置１がテスト記録を行った光ディスクＤに対して、再生信号品位パラメータと装置記録パラメータ（記録条件）との関係を求めることにより、記録エラーのない良好な記録を行うことができる記録可能速度を求める記録速度判定処理などを行う。
【００３７】
記憶部２６は、実験などを行って予め求めたデータなどを記憶しておくためのものである。操作部２７は、再生信号品位を表すパラメータを選択・入力するために操作するためのものである。表示部２８は、光ディスクに記録したデータの再生信号品位などを表示するためのものである。
【００３８】
なお、以上のように構成された光ディスク記録装置１は光ディスクの記録・再生装置をパーソナルコンピュータによって実現することができる。すなわち、光ピックアップ１０、スピンドルモータ１１、及び周波数発生器２１は、光ディスクドライブで実現できる。また、ＲＦアンプ１２、サーボ回路１３、アドレス検出回路１４、デコーダ１５、エンコーダ１７、ストラテジ回路１８、レーザドライバ１９、レーザパワー制御回路２０、エンベロープ検出回路２２、Ｃ１エラー検出回路２３、及び再生信号品位検出回路部２４は、ＭＰＵや周辺回路で実現できる。または、光ディスクドライブ装置の周辺回路で実現できる。システム制御部１６は、ＭＰＵで実現できる。データ記憶回路２５、及び記憶部２６はメモリ、ＲＡＭ、及びＲＯＭで実現できる。操作部２７は、キーボードやマウスなどの入力デバイスで実現できる。表示部２８は、モニタで実現できる。
【００３９】
以上のように構成された光ディスク記録装置１における光ディスクＤへのデータ記録時の動作を説明する。発明者らは、ソースディスクから記録可能な光ディスクへ音楽データを複写した際に、良い音質を得るために様々な実験や検討を行った。その結果、ソースディスクに記録された音楽データと、複写先の光ディスクの音楽データと、の再生信号波形、つまり再生信号品位が同様になるようにして、複写先の記録可能な光ディスクへ音楽データを記録すると、ソースディスクと略同様の音質が得られることが分かった。
【００４０】
そこで、光ディスク記録装置では、光ディスクに記録されているデータを複写する場合、データ記録済みの光ディスク（複写元の光ディスク）の再生信号品位を測定し、その再生信号品位と同様の再生信号品位が得られるように、再生信号品位に関係する装置記録パラメータを所定値に設定して、複写先の記録用光ディスクにデータを記録する。
【００４１】
例えば、プレスＣＤ（音楽ＣＤ）や記録済みＣＤ−Ｒなどから音楽データを読みこむ際に、再生信号品位を測定しβ値やアシンメトリなどの信号品位パラメータを求める。続いて、元の音楽データの再生波形が同様に再現されるよう、測定した信号品位パラメータに基づいて、再生信号品位に関係する装置記録パラメータ（例えば、ＯＰＣを行う際の目標β値など）を所定の値に設定する。そして複写元の光ディスクに記録されている音楽データを上記設定にて記録用光ディスク記録する。なお、本記録前に実施されるＯＰＣにて複数のレーザパワーにてテスト記録されたテストデータを再生するときに再生信号品位を測定して、測定された信号品位パラメータと再生信号品位に関係する装置記録パラメータとの関係を求めて記憶部２６に記憶し、及び装置記録パラメータの調整をすると良い。また、再生信号品位を表す信号品位パラメータと、再生信号品位に関係する装置記録パラメータと、の関係は、予め実験などを行って求めておき記憶部２６に記憶しておき、記録時に記憶部２６から読み出して装置記録パラメータを調整するようにすると良い。
【００４２】
これにより、複写元の光ディスクの音楽データと、複写先の光ディスクの音楽データと、の再生信号波形や再生信号品位が略同様となり、音楽データの音質を略同様に調整することができる。なお、データとしては、音楽データに限らず他のデータであっても良い。
【００４３】
再生信号品位を表す信号品位パラメータとしては、β値やアシンメトリの他に、ＨＦ変調度、ＨＦ振幅、ＨＦ反射率、平均反射率、クロストーク、ジッタ、デビエーション、有効長などがある。また音楽データの信号品位を測定する際には、上記の信号品位パラメータのいずれか１つまたは複数を測定して、装置記録パラメータの設定などを行うと良い。また、これらの信号品位パラメータは完全に独立しておらず、１つのパラメータを変更すると、これに伴って他のパラメータも変化することがある。
【００４４】
データを記録する際の再生信号品位に関係する装置記録パラメータとは、光ディスクにデータを記録する際にデータの再生信号品位を決定するパラメータであり、例えば、ライトストラテジ、データを記録する際に光ディスクへ照射するレーザパワー、ＯＰＣやランニングＯＰＣでの目標β値、フォーカスバランス、トラッキングバランス、記録速度などがある。
【００４５】
さらに、複写元の再生信号品位に内周外周差がある場合、装置記録パラメータを記録位置（半径位置又は時間）で変化させながら記録し、略同様の再生信号品位内周外周差をつけても良い。
【００４６】
図３は光ディスク記録装置の動作を説明するためのフローチャートの１例である。ここでは、再生信号品位を表す信号品位パラメータをβ値として以下に説明する。まず、ユーザはプレスＣＤ（音楽ＣＤ）や記録済ＣＤ−Ｒなどのソースディスクを光ディスク記録装置１にセットして音楽データを再生するために操作部２７を操作する（ｓ１）。システム制御部１６は、操作部２７からの信号を受信すると、ソースディスクの音楽データを読み取るために、サーボの自動調整を行う。サーボ回路１３は、光ピックアップ１０へフォーカスサーボ機構及びトラッキングサーボ機構の制御信号を出力する。また、スピンドルモータ１１へ回転制御信号を出力する。システム制御部１６は、レーザパワー制御回路２０へレーザパワーを制御するための所定の信号を出力する。レーザパワー制御回路２０は、レーザドライバ１９の制御信号を出力し、レーザドライバ１９から光ピックアップ１０へレーザダイオードから照射するレーザ光のパワー制御信号を出力する。光ピックアップ１０のレーザダイオードからは、所定のレーザパワーのレーザ光が照射され、レーザ光の戻り光（反射光）が光ピックアップ１０の受光素子で受光されて、電気信号に変換されてＲＦアンプ１２へ出力される（ｓ２）。
【００４７】
そして、ＲＦアンプ１２で増幅された音楽データの信号は、デコーダ１５でデコードされてデータ記憶回路２５に出力され、データ記憶回路２５でソースディスクの音楽データが記憶される（ｓ３）。
【００４８】
また、ＲＦアンプ１２で増幅されたこの信号は、再生信号品位検出回路部２４に出力されて、再生信号品位検出回路部２４はソースディスクの音楽データの再生信号品位を測定する（ｓ４）。測定結果がシステム制御部１６に出力され、内蔵ＲＡＭに格納される（ｓ５）。ソースディスクの音楽データがデータ記憶回路２５へ全て格納されると、システム制御部１６は表示部２８へソースディスクの音楽データ・再生信号品位の格納が完了したことを表示する（ｓ６）。
【００４９】
ユーザは、この表示を確認すると、光ディスク記録装置１からソースディスクを取り出して、代わりにデータを記録可能な光ディスクを光ディスク記録装置１にセットする（ｓ７）。
【００５０】
システム制御部１６は、データを記録する光ディスクのサーボ自動調整を行い、所定の信号をサーボ回路１３、レーザパワー制御回路２０、エンコーダ１７に出力する。光ピックアップ１０から光ディスクにレーザ光が照射され、この戻り光が受光素子で受光されて変換され、ＲＦアンプ１２に出力される。この信号は、アドレス検出回路１４に出力され、信号中のＡＴＩＰ（Absolute Time In Pre-groove）情報を読み取って光ディスクの種類の判別を行う。続いて、光ディスクのアドレスが検出されてシステム制御部１６に出力される（ｓ８）。システム制御部１６は、光ディスク識別情報に基づいて、記憶部２６に予め記憶されているデータを読み出す。そして、このデータと前記ＲＡＭに格納した再生信号品位の測定結果と、に基づいて装置記録パラメータの設定を行う（ｓ９）。
【００５１】
続いて、システム制御部１６は、装置記録パラメータの設定に問題があるかないかを確認するのと同時に、最適レーザパワーを決定するために、ＯＰＣ（Optimum Power Control）を行う。すなわち、設定した装置記録パラメータに基づいて所定の信号をサーボ回路１３、レーザパワー制御回路２０、エンコーダ１７、ストラテジ回路１８に出力する。光ピックアップ１０は、ＰＣＡにテスト信号を記録して再生する。この戻り光がＲＦアンプ１２を介して再生信号品位検出回路部２４に出力される（ｓ１０）。再生信号品位検出回路部２４は、テスト信号の再生信号品位を検出してシステム制御部１６に出力する（ｓ１１）。システム制御部１６は、再生信号品位検出回路部２４から出力された再生信号品位のデータと、ＲＡＭに記憶させたソースディスクの再生信号品位と、を比較する（ｓ１２）。比較の結果、同等の再生信号品位が得られないなどの問題がある場合はｓ９の装置記録パラメータを変更し、再度ｓ９〜ｓ１２を実行する。問題がなければ、この装置記録パラメータの設定でデータ記憶回路２５に格納されたソースディスクから読み取った音楽データを光ディスクに記録する。つまり、データ記憶回路２５から音楽データを出力させるとともに、設定した装置記録パラメータに基づいて所定の信号をサーボ回路１３、レーザパワー制御回路２０、エンコーダ１７、ストラテジ回路１８に出力する。そして、光ピックアップ１０から記録用光ディスクへ音楽データに応じたレーザ光を照射させて、音楽データを記録する（ｓ１３）。音楽データの記録が完了したら、システム制御部１６は、表示部２８に記録が完了したことを表示する（ｓ１４）。そして、処理を終了する。
【００５２】
記憶部２６に予め記憶されているデータとは、データを記録する際の再生信号品位に関係する装置記録パラメータであり、ディスク識別情報に対応した、ライトストラテジ、ＯＰＣでの目標β値などがある。さらに、前記ディスク識別情報に対応させて再生信号品位を表す信号品位パラメータと、再生信号品位に関係する装置記録パラメータとの関係をあらわすデータを予め実験などで求めておき、記憶部２６に記憶しておくとなお良い。ソースディスクの再生信号品位と予め求めておいた関係に基づいて装置記録パラメータの調整を行うことでソースディスクと略同様の再生信号品位で記録することができる。
【００５３】
また、ＯＰＣは複数のレーザパワーでテストデータを記録し、再生して再生信号品位をみることによって最適レーザパワーを決定するものである。このとき複数の記録条件における再生信号品位を測定することで、当該光ディスクにおける再生信号品位を表す信号品位パラメータと、再生信号品位に関係する装置記録パラメータとの関係を求めても良い。更に、ＯＰＣにおいてレーザパワーを変化させ記録するのではなく、ライトストラテジなどの装置記録パラメータを変化させて、再生信号品位に関係する装置記録パラメータとの関係を求めても良い。ここで得られた関係とソースディスクの再生信号品位とに基づいて装置記録パラメータの調整を行うことでソースディスクと略同様の再生信号品位で記録することができる。あるいはもう一度ｓ９へ戻って調整条件を検証しても良い。
【００５４】
次に、光ディスク記録装置では、記録用光ディスクへ記録するデータの再生信号品位を表す信号品位パラメータを、ユーザが任意の値に設定できる。すなわち、光ディスク記録装置で音楽データを光ディスクに記録した場合、ユーザの好みに応じて再生信号品位を表す信号品位パラメータを設定可能にすることで、ユーザが良いと感じる音質に設定することができる環境を提供するものである。以下、詳細に説明する。
【００５５】
再生信号品位を表す信号品位パラメータとしては、β値やアシンメトリの他に、ＨＦ変調度、ＨＦ振幅、ＨＦ反射率、平均反射率、クロストーク、ジッタ、デビエーション、有効長などがある。また、これらの信号品位パラメータは完全に独立しておらず、１つのパラメータを変更すると、これに伴って他のパラメータも変化することがある。
【００５６】
データを記録する際の再生信号品位に関係する装置記録パラメータとは、光ディスクにデータを記録する際にデータの再生信号品位を決定するパラメータであり、例えば、ライトストラテジ、データを記録する際に光ディスクへ照射するレーザパワー、ＯＰＣやランニングＯＰＣでの目標β値、フォーカスバランス、トラッキングバランス、記録速度などがある。
【００５７】
しかしながら、上記の装置記録パラメータを変更した場合、上記の信号品位パラメータの代わる度合いはディスクの種類ごとに異なっている。したがってユーザが装置記録パラメータを変更する場合には所望の再生信号品位を得ることは難しいものとなってしまう。光ディスク記録装置では、ユーザは好みに応じて再生信号品位を表す信号品位パラメータを設定可能であり、装置側は当該光ディスクにおける再生信号品位を表す信号品位パラメータと、再生信号品位に関係する装置記録パラメータとの関係から、設定された任意の信号品位パラメータに基づいて装置記録パラメータを調整するようにしている。
【００５８】
また、再生信号品位パラメータ値によっては記録用光ディスクに記録したデータが再生できなくなる場合や、装置記録パラメータの設定可能範囲外でなければ目的の再生信号品位を達成できない場合もあるため、そのような再生信号品位パラメータ値の設定をユーザが選択しようとした場合、表示部に警告表示をしたり、再生信号品位パラメータ値の設定範囲を制限するようにしても良い。
【００５９】
図４は、表示部に表示させる再生信号品位を表す信号品位パラメータを設定するための表示例である。図４（Ａ）に示したように、例えば表示部にグラフを表示させて、ユーザはこのグラフから設定値を選択するようにしても良い。また、図４（Ｂ）に示したように、再生信号品位を表す信号品位パラメータのパターンを設定した表を表示させて、この表から設定値を選択するようにしても良い。さらに、図４（Ｃ）に示したしたように、ユーザが任意の値を設定できるゲージを表示部に表示させておき、ユーザは所望の設定値を選択できるようにしても良い。なお、この場合、例えば、設定β値を変化させると、それに伴ってＣ１エラー、ジッタ、音の各パラメータは変化する。
【００６０】
このように、ユーザは再生信号品位を表す信号品位パラメータを任意の値に設定することができるので、例えば音楽データを光ディスクに記録する場合、好みの音質に設定することができ、従来の光ディスク記録装置や記録用光ディスクを選択するための費用や時間を低減できる。
【００６１】
また、記録装置と再生装置が違う場合において、再生装置の特性に合わせた音質に設定することができ、記録装置では信号品位が良くても再生装置で再生すると音質が悪いといった問題も低減できる。
【００６２】
また、光ディスク記録装置では、再生信号品位を表す信号品位パラメータの設定を装置が自動的に行うか、ユーザが任意の値を設定するか、の切り替えを行う切り替えスイッチを設けると良い。この場合は、装置が自動的に再生信号品位を表すパラメータの設定を行う場合は、初期値（デフォルト値）を設定しておく必要がある。
【００６３】
図５は、光ディスク記録装置の動作を説明するためのフローチャートの１例である。光ディスクに記録するデータは予めデータ記憶回路２５に格納されているものとする。まず、ユーザは、操作部２７の切り替えスイッチを操作して、再生信号品位を表す信号品位パラメータの設定をユーザが行うモードを選択する。そして、光ディスク記録装置１に記録用光ディスクをセットする（ｓ３１）。システム制御部１６は、セットされた記録用光ディスクの種類を判別するために、サーボの自動調整を行う。サーボ回路１３、レーザパワー制御回路２０、エンコーダ１７にそれぞれ所定の信号を出力する。これらの信号により、光ピックアップ１０からレーザ光が記録用光ディスクに照射され、その戻り光が光ピックアップ１０の受光素子で受光され、電気信号に変換されてＲＦアンプ１２に出力される。ＲＦアンプ１２で増幅されたこの信号は、アドレス検出回路１４に出力されて、アドレス検出回路１４でＡＴＩＰ情報（アドレス情報）が検出されシステム制御部１６に出力される（ｓ３２）。システム制御部１６は、この信号に基づいて光ディスクの種類を判別し、記憶部２６から再生信号品位を表す信号品位パラメータのデータパターンを呼び出す。そして、このデータを、例えば、表に変換して表示部２８に表示させる（ｓ３３）。ユーザは、操作部２７を操作して、表示部２８に表示された表から信号品位パラメータの所望の値を選択して、その値を入力する（ｓ３４）。システム制御部１６は選択された信号品位パラメータの値に基づいて、再生信号品位に関係する装置記録パラメータを調整する（ｓ３５）。調整は、記憶部２６に記憶されている当該光ディスクにおける再生信号品位を表す信号品位パラメータと再生信号品位に関係する装置記録パラメータとの関係と、設定された任意の信号品位パラメータとに基づいて装置記録パラメータを調整するようにしてもよい。あるいは次段で説明されるＯＰＣにおいて、当該光ディスクにおける再生信号品位を表す信号品位パラメータと再生信号品位に関係する装置記録パラメータとの関係と、設定された任意の信号品位パラメータとに基づいて装置記録パラメータを調整するようにしてもよい。
【００６４】
続いて、ＯＰＣを行うためにサーボ回路１３、レーザパワー制御回路２０、エンコーダ１７にそれぞれ所定の信号を出力し、テスト記録を行う。テスト記録した個所を再生し、その戻り光が光ピックアップ１０の受光素子で受光されて電気信号に変換されて、ＲＦアンプ１２からは、増幅された信号が再生信号品位検出回路部２４に出力される（ｓ３６）。システム制御部１６は、再生信号品位検出回路部２４から出力された信号などに基づいて最適なレーザパワーを設定する。そして、システム制御部１６は、データ記憶回路２５から記録用光ディスクに記録するデータを出力させる（ｓ３７）。このデータはエンコーダ１７、ストラテジ回路１８、レーザドライバ１９を介して光ピックアップ１０からレーザ光として照射され、光ディスクにデータが記録される（ｓ３８）。データの記録が完了すると、光ディスク記録装置１は、表示部２８にデータの記録が完了したことを表示させて、処理を終了する（ｓ３９）。
【００６５】
次に、光ディスク記録装置は、記録するデータの種類、フォーマット形式、例えばＣＤ−ＤＡ（オーディオデータ）やＣＤ−ＲＯＭ ＭＯＤＥ−1（パソコン用データ）などに応じて再生信号品位を表す信号品位パラメータを、自動的に設定、つまり各データの種類に適した設定を選択する。その設定に応じて装置記録パラメータを調整・設定し、記録用光ディスクにデータの記録を行う。すなわち、光ディスク記録装置でデータを光ディスクに記録した場合、該データに応じた再生信号品位に関する信号品位パラメータのパターンを設定可能な環境を提供するものである。
【００６６】
以下、詳細に説明する。光ディスク記録装置では、複写元の光ディスクに記録されているデータを読み取った際に、また、外部からデータ記憶回路に記録用データが送信された際に、システム制御部１６が記録用データの種類を判別する。そして、システム制御部１６は判別結果に基づいて、再生信号品位を表す信号品位パラメータを設定する。例えば、記録用データがコンピュータデータの場合は再生時にエラーが発生しないよう、音楽データの場合は音質が最良になるように再生信号品位に関するパラメータを自動で設定する。その設定に応じて装置記録パラメータを自動で調整・設定し、記録用光ディスクにデータの記録を行う。また、再生信号品位と装置記録パラメータの関係を予め記憶しておくことで、装置記録パラメータを直接的に自動で設定しても良い。このようにユーザは記録するデータの種類を気に掛けなくとも光ディスク記録装置が自動的に判別してくれるので、初心者にとっては有効である。
【００６７】
このとき、再生信号品位を表す信号品位パラメータとして、コンピュータ用データの場合、Ｃ１エラー値に着目すると良い。図６（Ａ）は、光ディスクにデータを記録した際のＣ１エラー値とβ値との関係を示した図である。Ｃ１エラーとβとの関係は２次曲線となるため、Ｃ１エラー値がこの２次曲線のボトム値になるように、記録装置パラメータを設定する。一方、音楽用データの場合、ジッタ値に着目すると良い。図６（Ｂ）は、ジッタとβとの関係を示した図である。ジッタ値がこの２次曲線のボトムとなるように記録装置パラメータを設定する。
【００６８】
また、音楽データの場合、ＨＦ変調度（Ｉ３／Ｉ１１）に着目し、ＨＦ変調度の値が大きくなるポイントを狙っても良い。このとき、ライトストラテジを調整して短いピット（特に３Ｔ）の長さを長くするよう、装置記録パラメータを調整しても良い。
【００６９】
しかし、ユーザによっては、例えば音楽用データを光ディスクに記録する場合に、音質には特にこだわらず、エラーがなく確実にデータが光ディスクに記録されることを重視することがある。そこで、このような場合、光ディスクに記録するデータは音楽データであるが、再生信号品位に関する信号品位パラメータをコンピュータデータ用に適した設定してもよい。よって、ユーザがデータに応じた再生信号品位に関する信号品位パラメータのパターン（オーディオ向パターン、コンピュータデータ向パターンなど）を選択することができる。
【００７０】
図７は、データの種類に応じた再生信号品位を表す信号品位パラメータの設定例である。上記のパラメータを考慮して、図７に示したように、データの種類、光ディスクの種類などに応じて、β値などの再生信号品位を表す信号品位パラメータを表示しても良い。さらに、ライトストラテジなどの装置記録パラメータを表示しても良い。
【００７１】
図８は、光ディスク記録装置の動作を説明するためのフローチャートの１例である。光ディスクに記録するデータは、予めデータ記憶回路２５に格納されているものとする。まず、ユーザは、光ディスク記録装置１に記録用光ディスクをセットする（ｓ５１）。システム制御部１６は、セットされた記録用光ディスクの種類を判別するために、サーボ回路１３、レーザパワー制御回路２０、エンコーダ１７にそれぞれ所定の信号を出力する。これらの信号により、光ピックアップ１０からレーザ光が記録用光ディスクに照射され、その戻り光が光ピックアップ１０の受光素子で受光され、電気信号に変換されてＲＦアンプ１２に出力される。ＲＦアンプ１２で増幅されたこの信号は、アドレス検出回路１４に出力されて、アドレス検出回路１４でＡＴＩＰ情報（アドレス情報）が検出されシステム制御部１６に出力される（ｓ５２）。
【００７２】
続いて、操作部２７の切り替えスイッチを操作して、記録するデータに応じて再生信号品位に関する信号品位パラメータパターンの設定を装置が自動的に行うか、それともユーザが設定するか、を選択する（ｓ５３）。パラメータの設定を装置が自動的に行う場合、システム制御部１６は、データ記憶回路２５に格納されたデータの種類とディスクの種類から、記憶部２６の再生信号品位に関する信号品位パラメータを呼び出す。（ｓ５４）。システム制御部１６は選択されたパラメータの値に基づいて、パラメータ値を自動で設定する。または、記憶部２６の再生信号品位に関する信号品位パラメータ、及び装置記録パラメータを呼び出し、自動で設定する（ｓ５５）。続いて、ＯＰＣを行うためにサーボ回路１３、レーザパワー制御回路２０、エンコーダ１７にそれぞれ所定の信号を出力する。これらの信号により、光ピックアップ１０からレーザ光が記録用光ディスクに照射され、テスト記録される。その箇所を再生し、その戻り光が光ピックアップ１０の受光素子で受光され、電気信号に変換されてＲＦアンプ１２に出力される（ｓ５６）。ＲＦアンプ１２からは、増幅された信号が再生信号品位検出回路部２４に出力される。信号品位６は、再生信号品位検出回路部２４から出力された信号などに基づいて最適なレーザパワーを設定する（ｓ５７）。そして、システム制御部１６は、データ記憶回路２５から記録用光ディスクに記録するデータを出力させる。このデータはエンコーダ１７、ストラテジ回路１８、レーザドライバ１９を介して光ピックアップ１０からレーザ光として照射され、光ディスクにデータが記録される（ｓ５８）。データの記録が完了すると、光ディスク記録装置１は、表示部２８にデータの記録が完了したことを表示させて、処理を終了する（ｓ５９）。
【００７３】
一方、ユーザが設定する場合は、各データの種類に適した再生信号品位に関する信号品位パラメータの設定を、表に変換して表示部２８に表示させる。このとき、装置記録パラメータを表示させても良い。操作部２７を操作してどのデータの種類に適した再生信号品位を表す信号品位パラメータの設定で記録を行うか選択する（ｓ６０）。システム制御部１６は、この選択に基づいて、信号品位を表す装置記録パラメータを設定して（ｓ６１）、ｓ５６以降の処理を実行する。
【００７４】
次に、光ディスク記録装置では、再生時の信号品位に変動、つまり変化や揺らぎが生じるように再生信号品位に関係する装置記録パラメータを設定してデータの記録を行う。
【００７５】
以下詳細に説明する。再生時の信号品位に変化又は揺らぎ（変動）が生じるようにするため、例えば、一定周波数で信号品位が変化すると良い。また、ランダムな周波数で信号品位が変化するように記録しても良い。さらに、中心周波数を設定し、不規則的に信号品位が変化するようにしても良い。
【００７６】
再生時の信号品位に変化又は揺らぎが生じるようにするためには、例えば、記録パワーを変化させると良い。また、ライトストラテジを変化させるようにしても良い。さらにフォーカスバランスを変化させても良い。
【００７７】
但し、上記方法で再生時の信号品位に変化又は揺らぎが生じるようにした場合、ウォブル、ディスク偏心、ディスク面振れなどにより、信号に載せたくない揺らぎ成分が実際には載ってしまうことがある。そこで、以下の方法で装置記録パラメータを変化させることにより、載せたくない揺らぎ成分を打ち消しながら、本来の揺らぎを載せることができる。
【００７８】
すなわち、載せたくない揺らぎ成分がキャンセルできるように、この揺らぎ成分を打ち消すパラメータを設定する。図９は、揺らぎ成分と揺らぎ成分を打ち消すためのパラメータとの波形を示したグラフである。図９に示したように、ディスク偏心の周波数の絶対値に対応するように装置記録パラメータとして記録パワーを設定することで、ディスク偏心が原因で発生する揺らぎを打ち消すことができる。
【００７９】
また、ベース周波数として任意の周波数を信号に載せることで、記録データに所望の周波数の揺らぎ成分を追加することができる。例えば、人間の脳波の一種であるα波成分の周波数（約１０Ｈｚ）が好適である。すなわち、人間の脳波にはα波、β波、γ波などがあり、α波成分が多くなると人間はリラックスした状態になることが知られている。また、α波成分の周波数（約１０Ｈｚ）で揺らいでいる音楽を聞くと、この周波数に同調して脳波はα波成分が多くなると言えわれている。そこで、光ディスクに記録する音楽データに、このα波成分の周波数（約１０Ｈｚ）の揺らぎを載せることで、再生した音楽データを聞いた人がリラックスできるという効果が期待できる。
【００８０】
このように、記録するデータが音楽データの場合、再生時の再生信号品位に変化又は揺らぎが生じるようにすることで、新たな聴感や精神的な効果を生じさせることができる。
【００８１】
次に、光ディスク記録装置の動作をフローチャート用いて説明する。図１０は、光ディスク記録装置の動作を説明するためのフローチャートである。光ディスクに記録するデータは、予めデータ記憶回路２５に格納されているものとする。また、記録データに載せる周波数成分の設定は、記憶部２６に記憶されているものとする。まず、ユーザは、操作部２７のスイッチを操作して、記録するデータに載せる周波数成分の種類を設定する（ｓ７１）。続いて、ユーザは、光ディスク記録装置１に記録用光ディスクをセットする（ｓ７２）。システム制御部１６は、設定された周波数成分の種類に応じて、記憶部２６から周波数成分のパターンを読み出すとともに、データ記憶回路２５から光ディスクへ記録するデータを読み出す（ｓ７３）。そして、このデータの再生信号品位が設定された周波数成分で変動するように、装置記録パラメータを設定する（ｓ７４）。続いて、システム制御部１６は、サーボ回路１３、レーザパワー制御回路２０、エンコーダ１７、ストラテジ回路１８に、それぞれ所定の信号を出力して、光ピックアップ１０を制御してレーザ光を光ディスクに照射して、データを記録する（ｓ７５）。データの記録が完了すると、システム制御部１６は表示部２８にその旨を表示させて（ｓ７６）、処理を終了する。
【００８２】
次に、光ディスク記録装置では、光ディスクの再生信号品位や記録するデータに応じて、自動的に最適な記録速度でデータ記録を実施する。以下、詳細に説明する。
【００８３】
前記のように、従来、光ディスクにデータを記録する際に誤って、光ディスクが対応していない記録速度に設定してデータの記録を行おうとした場合、光ディスク記録装置が光ディスクに応じて自動的に最大記録可能速度に設定し直してくれる機能があった。しかし、その機能を用いてデータを記録した場合、必ずしも最良の再生信号品位になるとは限らなかった。もちろん、音楽データを記録した場合でも、必ずしも最良の音質になるとは限らなかった。
【００８４】
そこで、光ディスク記録装置では、光ディスクに応じて最適な記録速度でデータの記録を行うことで、例えば光ディスクへ音楽データを記録する場合に、良い音質を得ることができる。さらに、記録するデータの種類に応じて、最適な記録速度で行ってもよい。
【００８５】
光ディスク及び記録するデータの種類に応じた最適な記録速度は、予め記憶部２６で記憶させておき、光ディスクにデータを記録する際に、その光ディスクの種類、及び記録するデータの種類を識別しておき、その識別結果に応じた最適な記録速度の情報を記憶部２６から読み出すようにすれば良い。
【００８６】
次に、光ディスク記録装置の具体的な動作を説明する。図１１は、光ディスク記録装置の動作を説明するためのフローチャートの１例である。
【００８７】
光ディスクに記録するデータは、予めデータ記憶回路２５に格納されているものとする。まず、ユーザは、記録用光ディスクをセットする（ｓ８１）。サーボの自動調整を行い、システム制御部１６は、記録用光ディスクのＡＴＩＰ情報を読み取って、記録用光ディスクの種類を識別する（ｓ８２）。そして、システム制御部１６は、記憶部２６から光ディスク及び記録するデータの最適記録速度に関する情報を読み出して、記録用光ディスクの種類と、記録するデータの種類と、に応じた最適な記録速度を自動で選択する（ｓ８３）。そして、選択した記録速度で記録用光ディスクにデータを記録する（ｓ８４）。データの記録が完了すると、システム制御部１６は表示部２８にその旨を表示させて（ｓ８５）、処理を終了する。
【００８８】
次に、光ディスク記録装置では、データの記録前に、データの再生信号品位、データを複写する記録用光ディスクにデータを記録した場合の推定再生信号品位をユーザに提示する。以下、詳細に説明する。
【００８９】
ユーザは、光ディスクにデータを記録する際に、複写先の光ディスクにデータを記録した際にどのような再生信号品位となるか知っておきたい場合がある。このような場合に、光ディスク（メディア）は購入しなくても、記録するデータの推定再生信号品位などの情報を知ることができれば、ユーザの労力や経費を低減することが可能となる。
【００９０】
そこで、光ディスク記録装置では、記憶部２６に、予め実験などにより求めた光ディスクの再生信号品位に関係する信号品位パラメータ、装置記憶パラメータ、及び各パラメータの関係を記憶させておく。そして、光ディスクにデータを記憶させる際に、記憶部２６が記憶した再生信号品位に関係する信号品位パラメータを表示部２８に表示させて、ユーザが表示部２８に表示された再生信号品位に関する信号品位パラメータ又は該パラメータ値を操作部２７で選択できるようにする。ユーザが操作部２７を操作してある信号品位パラメータ又はパラメータ値を選択すると、システム制御部１６は、前記設定結果、及び記憶部２６が記憶した装置記録パラメータの値を設定して、サーボ回路１３、レーザパワー制御回路２０、エンコーダ１７、及びストラテジ回路１８に所定の信号を出力して、光ピックアップ１０からレーザ光を照射させて、スピンドルモータにセットされた記録用光ディスクへデータを記録する。
【００９１】
上記のように、記録データの推定再生信号品位の情報を提供することで、ユーザは、予め光ディスクに記録するデータの推定再生信号品位を把握することができる。したがって、従来のように、記録後に再生信号品位が悪いことが判明して、別のメディアでデータ記録のやり直しを行ったり、良い音質で音楽データを記録できるメディアを選別するために、複数のメディアを購入するといったことは不要となる。つまり、ユーザにとっては、非常に有益である。
【００９２】
図１２は、光ディスク記録装置の表示部に表示する光ディスクの推定再生信号品位の例である。また、ユーザに提供する推定再生信号品位のデータは、例えば図１２（Ａ）に示した記録速度に応じた推定再生信号品位の表のように、表形式で推定再生信号品位を表示しても良い。また、図１２（Ｂ）に示した記録速度をパラメータとしたβとジッタとの関係を表したグラフのように、グラフ形式で推定再生信号品位を表示しても良い。
【００９３】
また、上記のように動作する本発明の実施形態の光ディスク記録装置１は、光ディスクの駆動装置を備えたコンピュータによって実現することができる。すなわち、記録用光ディスクの種別を識別する識別手段であるアドレス検出回路１４及びシステム制御部１６は、コンピュータを構成するＭＰＵや周辺回路で実現できる。さらに、記録用光ディスクにデータを記録した場合の推定再生信号品位を記憶する記憶手段である記憶部２６は、コンピュータを構成するメモリ、ＲＡＭ、及びＲＯＭで実現できる。加えて、該記録用光ディスクの推定再生信号品位を表示する表示手段である表示部２８は、コンピュータを構成するモニタで実現できる。
【００９４】
また、推定再生信号品位として、ＯＰＣなどの試し書きデータの再生信号品位の確定結果を使っても良い。
【００９５】
また、上記各部を動作させるプログラムは、予め記憶部２６に記憶させておき、ユーザの操作部２７の操作があると、このプログラムを読み出して実行するようにすると良い。
【００９６】
なお、記録用光ディスクが新たに発売されて、その光ディスクに関する情報を入手したい場合には、図外の通信手段を用いて、インターネットを介してファームウェアを更新すると良い。
【００９７】
次に、本発明の第２実施形態について説明する。本発明の第２実施形態の光ディスク記録装置は、過去にデータを記録した際の再生信号品位の信号品位パラメータを記憶部で記憶している。そして、光ディスクにデータを記録する場合に、ユーザは過去のデータを呼び出してデータを記録することができる。
【００９８】
以下、詳細に説明する。例えば、過去にユーザが自分で調整して音楽データを光ディスクａに記録した設定だと、非常に良い音質で音楽データを記録できたので、また同じ設定で光ディスクａに音楽データを記録したい場合、つまり、記録するデータと再生信号品位で複写元のディスクを変えたい場合がある。また、再生信号品位の値がある値の時の条件検索を行って、検索結果に基づいて、再生信号品位に関する信号品位パラメータを設定したい場合がある。このような場合に、過去に光ディスクへデータを記録した際の再生信号品位に関する信号品位パラメータの情報を知ることができれば、ユーザは、容易に再生信号品位に関する信号品位パラメータを設定してデータ光ディスクへ記録することができる。
【００９９】
そこで、本発明の第２実施形態の光ディスク記録装置では、記憶部２６に、過去に光ディスクへデータを記録する際に設定した再生信号品位に関係する信号品位パラメータを記憶させておく。そして、別の光ディスクにデータを記憶させる際に、記憶部２６が記憶した再生信号品位に関する信号品位パラメータを表示部２８に表示させて、ユーザが表示部２８に表示された再生信号品位に関する信号品位パラメータを操作部２７で選択できるようにする。ユーザが操作部２７を操作してあるパラメータを選択すると、システム制御部１６は、記憶部２６が記憶した再生信号品位に関する信号品位パラメータの値に設定して、サーボ回路１３、レーザパワー制御回路２０、エンコーダ１７、及びストラテジ回路１８に所定の信号を出力して、光ピックアップ１０からレーザ光を照射させて、スピンドルモータにセットされた記録用光ディスクへデータを記録する。
【０１００】
上記のように、過去に記録した再生信号品位に関する信号品位パラメータの情報を提供することで、この機能がない場合は、再生信号品位に関する信号品位パラメータをどのように設定したかをメモしておく必要があり、再度その設定でデータを記録する場合にはそのメモを見直す必要があるが、本発明を用いることで、そのような煩わしい作業は行わなくても良い。
【０１０１】
再生信号品位に関する信号品位パラメータの設定を光ディスク記録装置に記憶させる場合は、データの記録完了後に、この設定を残しておくかどうかの表示が装置の表示部に表示される。ユーザは指示に従って、例えば覚え書きなどを操作部を操作して入力しておけば良い。また、光ディスク記録装置に記憶させた再生信号品位に関する信号品位パラメータの設定を呼び出す際には、光ディスクにデータを記録する前に操作部を操作して、所望の設定を呼び出すようにすれば良い。
【０１０２】
また、上記のように動作する本発明の第２実施形態に係る光ディスク記録装置１は、光ディスクの駆動装置を備えたコンピュータによって実現することができる。すなわち、光ディスクへデータを記録する際に設定した再生信号品位に関する信号品位パラメータを記憶する記憶手段である記憶部２６は、コンピュータを構成するメモリ、ＲＡＭ、及びＲＯＭで実現できる。また、記憶部２６が記憶した再生信号品位に関する信号品位パラメータを表示する表示手段である表示部２８は、コンピュータを構成するモニタで実現できる。表示部２８に表示された再生信号品位に関する信号品位パラメータを選択する操作手段である操作部２７はキーボードやマウスで実現できる。データ記録時の再生信号品位に関する信号品位パラメータを記憶部２６が記憶した値に設定する再生信号品位調整手段であるシステム制御部１６は、コンピュータを構成するＭＰＵや周辺回路で実現できる。
【０１０３】
また、上記各部を動作させるプログラムは、予め記憶部２６に記憶させておき、ユーザの操作部２７の操作があると、このプログラムを読み出して実行するようにすると良い。
【０１０４】
なお、以上の説明において、設定データは、光ディスクの種類毎（メディア毎）、記録速度毎に設定しておくと良い。
【０１０５】
また、本発明は、ＣＬＶ方式やＣＡＶ方式に限らず、パーシャルＣＡＶ方式やその他の記録方式にも適用できる。
【図面の簡単な説明】
【０１０６】
【図１】本発明の実施形態に係る光ディスク記録装置の構成を示したブロック図である。
【図２】光ディスクの領域構成を示した断面図である。
【図３】光ディスク記録装置の動作を説明するためのフローチャートである。
【図４】表示部に表示させる再生信号品位に関する信号品位パラメータを設定するための表示例である。
【図５】光ディスク記録装置の動作を説明するためのフローチャートである。
【図６】光ディスクにデータを記録する際のＣ１エラーとβとの関係、及びジッタとβとの関係を示した図である。
【図７】データの種類に応じたパラメータの設定例である。
【図８】光ディスク記録装置の動作を説明するためのフローチャートである。
【図９】揺らぎ成分と揺らぎ成分を打ち消すためのパラメータとの波形を示したグラフである。
【図１０】光ディスク記録装置の動作を説明するためのフローチャートである。
【図１１】光ディスク記録装置の動作を説明するためのフローチャートである。
【図１２】光ディスク記録装置の表示部に表示する光ディスクの再生信号品位の例である。
【符号の説明】
【０１０７】
１−光ディスク記録装置
１０−光ピックアップ
１６−システム制御部
２０−レーザパワー制御回路
２４−再生信号品位検出回路部
２５−データ記憶回路
２６−記憶部
２７−操作部
２８−表示部
【図１】
2005222696.tif 000003
【図２】
2005222696.tif 000004
【図３】
2005222696.tif 000005
【図４】
2005222696.tif 000006
【図５】
2005222696.tif 000007
【図６】
2005222696.tif 000008
【図７】
2005222696.tif 000009
【図８】
2005222696.tif 000010
【図９】
2005222696.tif 000011
【図１０】
2005222696.tif 000012
【図１１】
2005222696.tif 000013
【図１２】
2005222696.tif 000014